(57)【要約】【課題】  薄形表示装置の自立スタンドにおいて、プリセットされた画面の向きにワンタッチで表示装置が向く様に制御させる。【解決手段】  電動画面方向可変機構の中に可変抵抗の様な抵抗ボリュームを備え付けその抵抗値を検出する事により、常に自らの表示装置の画面の向きを認識する機能をし、自己方向を認識検知する機能と予めプリセットしてあった画面の向きに現在の画面がどの向きにあっても再現させる制御手段の組合せにより、課題を解決する。【選択図】  図１
2006350145.tif 000002
【特許請求の範囲】
【請求項１】
画像表示装置において、
前記画像表示装置の画面方向を回転する回転機構と、
前記回転機構により回転した角度を検出する検出器と、
を備えてなることを特徴とする画像表示装置。
【請求項２】
請求項１に記載の画像表示装置において、
前記回転機構を制御する制御部を備え、
前記制御部は前記検出器で検出した角度が所定の角度になった場合に回転を静止するように前記回転機構を制御することを特徴とする画像表示装置。
【請求項３】
請求項２に記載の画像表示装置において、
前記所定の角度を記憶する記憶部を備え、
前記制御部は前記記憶部に記憶された角度になった場合に回転を静止するように前記回転機構を制御することを特徴とする画像表示装置。
【請求項４】
請求項３に記載の画像表示装置において、
前記回転機構の回転を指示する信号を入力する入力部を備え、
前記制御部は前記入力部により入力される信号が第1の信号の場合は前記記憶部に記憶された角度で回転を静止し、前記入力部により入力される信号が第２の信号の場合は所定の間隔の角度で静止することを特徴とする画像表示装置。
【請求項５】
請求項１に記載の画像表示装置において、
前記検出器は、ポテンションメータであることを特徴とする画像表示装置。
【請求項６】
請求項４に記載の画像表示装置において、
前記入力部への入力はリモートコントローラを通じて行われることを特徴とする画像表示装置。
【請求項７】
請求項１に記載の画像表示装置において、
前記画像表示装置は画像表示部を備え、前記画像表示部は液晶パネルディスプレイ又はプラズマディスプレイパネルであり、
前記画像表示部の回転角度が、所定の角度範囲内に制限されていることを特徴とした画像表示装置。
【請求項８】
画像表示装置を保持する画像表示装置用スタンドであって、
前記画像表示装置の画面方向を回転する回転機構と、
前記回転機構により回転した角度を検出する検出器と、
を備えてなることを特徴とする画像表示装置用スタンド。
【請求項９】
請求項８に記載の画像表示装置用スタンドにおいて、
前記検出器で検出した角度が所定の角度になった場合に回転を静止することを特徴とする画像表示装置用スタンド。
【請求項１０】
請求項８に記載の画像表示装置用スタンドにおいて、
前記検出器は、ポテンションメータであることを特徴とする画像表示装置用スタンド。
【発明の詳細な説明】
【技術分野】
【０００１】
本発明は、画像表示装置本体を回転させ、画面の方向を可変できる画像表示装置及び画像表示用スタンドに関する。
【背景技術】
【０００２】
従来の画像表示装置においては、画面の方向を自由に設定できるように、画像表示装置本体を回転自在に保持するスタンドが付いているものがある。これは、視聴するユーザの正面に画面が来るように画像表示装置本体を回転させることにより、視聴するユーザの位置や、画像表示装置の設置の自由度を大きくすることができる。近年では、この画像表示装置本体の回転移動をリモコンにより遠隔操作するものが普及してきている。
【０００３】
画像表示装置本体の回転移動をリモコンにより遠隔操作する技術としては、例えば下記特許文献１に開示されているものがある。
【０００４】
【特許文献１】特開２００１-２８５７５５号公報
【発明の開示】
【発明が解決しようとする課題】
【０００５】
上記特許文献１に開示されている技術は、リモコンを操作している方向を検出し、その方向に画面を向けるように画像表示装置本体を回転移動させるものであるが、リモコンを操作している方向が検出できるまでの間、ユーザはリモコンのボタンを押し続けなければならないという問題がある。また、多数のユーザが視聴する場合、画面はリモコンを操作した方向に向くため、操作した人の位置によっては、画面の方向が最適とならないという問題がある。
【０００６】
この発明は、上記のような問題点を解消するためになされたものであり、その目的は使い勝手良く、ユーザが所望する方向に画面を向けることができる画像表示装置を提供することである。
【課題を解決するための手段】
【０００７】
本発明は、画像表示装置の画面方向を回転する回転機構と、回転機構により回転した角度を検出する検出器と、を備えている。このことにより所望の角度に速やかに画像表示装置の画面方向を回転することができる。
【発明の効果】
【０００８】
使い勝手良く、ユーザが所望する方向に画面を向けることができる画像表示装置を提供できる。
【発明を実施するための最良の形態】
【０００９】
以下、図面を参照しながら、本発明を画像表示装置の一つであるプラズマディスプレイパネル表示装置を例にして説明する。なお、全図において、共通な機能を有する構成要素には同一符号を付して示し、また、煩雑さを避けるために、一度述べたものについてはその繰り返した説明を省略する。
【実施例１】
【００１０】
実施例１では、画面方向可変機構の中に例えば可変抵抗の抵抗ボリュームを備え付け、この可変抵抗の抵抗値を検出する事により、常に自らの表示装置の画面の向きを認識する機能を有した画像表示装置の実施形態について説明する。
【００１１】
まず、画像表示装置の構成に関して説明する。
【００１２】
図１は、本発明を搭載した画像表示装置の外観斜視図である。１０は画像表示装置本体、１４はスタンド、１５は本体保持部であり、画像表示装置本体１０はスタンド１４に本体保持部１５により保持されている。画像表示装置本体１０は、画像表示部１１、フレーム１２、スピーカー１３、バックカバー１６から構成されており、内部には図示しない電源回路や画像制御回路などの電気回路が配置されている。
【００１３】
図２は画像表示装置から画像表示装置本体１０を外した状態のスタンド部の斜視図である。本体保持部１５のアーム１５ａに画像表示装置本体１０を固定保持するようになっている。また、本体保持部１５はスタンド１４に対して回転自在に保持されており、本体保持部１５が回転することにより、画像表示装置本体１０も回転することになる。
【００１４】
次に回転機構について説明する。図３は、スタンド４の内部構造を示す図である。１７モータであり、ギヤ列１８１，１８２，１８３，１８４を介して、角度検出ギヤ２１と結合している。角度検出ギヤ２１は本体保持部１５に固定されている。モータ１７を回転させると、その回転力は、ギヤ列１８１，１８２，１８３，１８４を介して、角度検出ギヤ２１を回転させるようになっている。角度検出ギヤ２１が回転することにより、本体保持部１５が回転するようになっている。１９はポテンショメータ、２０は可動ギヤであり、ポテンショメータ１９のセンサ部にはギヤがあり、可動ギヤ２０の内面にもギヤが設けられており、それぞれのギヤが噛み合っている。可動ギヤ２０は、本体保持部１５に固定されており、本体保持部１５が回転することにより、可動ギヤ２０が回動し、ポテンショメータ１９のセンサ部を回転させる。ポテンショメータ１９は内部に可変抵抗を備えており、センサ部の回転角度を電気信号に変換するものであり、ポテンショメータ１９の出力を監視することにより、回転保持部１５の回転角を検出でき、しいては、画像表示装置本体１０の画面表示部１１の向いている方向が検出できることとなる。２３は接続コネクタであり、モータ１７とポテンショメータ１９と配線で結合されている。
【００１５】
図４は、本発明を搭載した画像表示装置の一部の構成図である。前述したように、１４はスタンドであり、１７はモータ、１９はポテンショメータ、２３は接続コネクタである。１０は画像表示装置本体であり、接続コネクタ２４、モータ用電源２５、マイコン２６、メモリ２７、リモコン受光部２８にて構成されている。２９はリモコンである。画像表示装置本体１０においては、上記以外にも、制御回路や電源回路などの電気回路などがあるが、説明の簡素化のために省略している。画像表示装置本体１０とスタンド１４は接続コネクタ２３，２４により電気的に接続されている。
動作について簡単に説明する。リモコン２９のボタンを押すことにより、その制御信号がリモコン受光部２８からマイコン２６に送られる。マイコン２６は、モータ用電源２５から接続コネクタ２３，２４を介して、電力をモータ１７に送り画像表示装置本体１０を回転させる。このとき、ポテンショメータ１９からの画面位置信号を、接続コネクタ２３，２４を介して読み込み、画像表示装置本体１０の角度（画面位置）を検出するようになっている。ここで、通常は、画像表示装置本体１０の回転範囲は、左右に２０°までなどの制限を設けている。これは、回転範囲を大きくすると、画像表示装置が設置してある場所の近くにある壁などに衝突する可能性があるためである。
【００１６】
次に、画像表示装置本体１０の第１の位置（記憶位置１）の設定方法について説明する。図５は、記憶位置１の設定方法の説明図である。２９はリモコンであり、３０１は右回転ボタン、３０２は位置記憶ボタン、３１１は記憶位置１ボタン、である。また、１０１は画像表示装置本体１０の現状の位置で、１０２が所望する画像表示装置本体１０の画面方向とする。
【００１７】
図６は画面位置の記憶設定方法のフロー図である。図５、図６を用いて画面の記憶位置１の設定方法を説明する。
【００１８】
最初に（Ｓ６１）にリモコン２９の右回転ボタン３０１を押す（Ｓ６２）と、その信号をリモコン受光部２８が受信し、マイコン２６に送られる。マイコン２６はモータ用電源２５から電力をスタンド１４内のモータ１７に供給しモータ１７を回転させ、ギヤ列１８１，１８２，１８３，１８４を回転させて、角度検出ギヤ２１が回転する。これにより画像表示装置本体１０が矢印方向に回転する（Ｓ６３）。画像表示装置本体が１０１の位置にくるまで、右回転ボタン３０１を押しつづける（Ｓ６４→Ｓ６３を繰り返す）。
画像表示装置本体が１０１の位置に来た時に（Ｓ６４→Ｓ６５）、右回転ボタン３０１を離す（Ｓ６５）ことにより、モータ用電源２５からモータ１７への電力供給が停止し、画像表示装置本体１０は１０２の位置で停止する。この状態で、リモコン２９の位置記憶ボタン３０２を押し、続けて記憶位置１ボタン３１１を押すことにより（Ｓ６６）、マイコン２６はポテンショメータ１９からの画面位置信号を読み込み（Ｓ６７）、その画面位置を記憶位置１としてメモリ２７に記憶し（Ｓ６８）、画面位置の記憶設定を終了する（Ｓ６９）。
【００１９】
次に、画像表示装置本体１０の第２の位置（記憶位置２）の設定方法について説明する。図７は、記憶位置２の設定方法の説明図である。３０３は左回転ボタン、３１２は記憶位置２ボタンである。また、１０１は画像表示装置本体１０の現状の位置で、１０３が所望する画像表示装置本体１０の画面方向とする。
【００２０】
上記した記憶位置１の設定方法と同様に、リモコン２９の左回転ボタン３０３を押すと、画像表示装置本体１０が矢印方向に回転し、画像表示装置本体１０が１０３の位置に来た時に、左回転ボタン３０３を離す。そして、位置記憶ボタン３０２を押し、続けて記憶位置２ボタン３１２を押すことにより、１０３の位置が記憶位置２としてメモリ２７に記憶される。
【００２１】
以上のように、本発明の画像表示装置においては、ユーザがリモコン２９の右回転ボタン３０１、左回転ボタン３０３で、画像表示装置本体１０の向きを所望の位置に設定した後に、その位置を記憶させるため、画像表示装置本体１０の回転範囲内で自由に設定することができる。
【００２２】
次に、上記の記憶位置１に画像表示装置本体１０の位置を一致させる方法について説明する。図８は画像表示装置本体１０の位置を記憶位置１まで回転させる動作の説明図である。１０３は画像表示装置本体１０の現状の位置（記憶位置２）で、１０２は記憶位置２である。図９は画像表示装置本体１０の位置を記憶位置１まで回転させる動作のフロー図である。
【００２３】
最初に（Ｓ９１）、リモコン２９の記憶位置１ボタンを押す（Ｓ９２）。リモコン２９からの制御信号はリモコン受光部２８で受信し、マイコン２６に送られる。マイコン２６は、メモリ２７から記憶位置１に対する位置情報を読み込む（Ｓ９３）。次に、現状の画像表示装置本体１０の向いている方向を検出する為に、ポテンショメータ１９からの位置情報を読み込む（Ｓ９４）。そして、メモリ２７から読み込んだ記憶位置１に対応する位置情報と、現状の画像表示装置本体１０の向いている方向の位置情報を比較し（Ｓ９５）、異なっていれば、画像表示装置本体１０の向いている方向が記憶位置１になるように、モータ用電源２５からモータ１７に電力を供給して、画像表示装置本体１０を回転させる（Ｓ９６）。これを繰り返し、ポテンショメータ１９からの位置情報が、記憶位置１に対応した位置情報と一致した場合、すなわち、画像表示装置本体１０の位置が１０２まで回転したときは、モータ１７への電力供給を停止し、処理を終了（Ｓ９７）する。
【００２４】
以上のように、リモコン２９のボタン３１１，３２２を押すだけという簡単な操作で、記憶した位置に画像表示装置本体１０の画面の向きを変える事ができるため、使い勝手が向上する。
【００２５】
上記第１の実施例においては、記憶位置は２箇所であったが、これに限定することはなく、３箇所あるいはそれ以上であってもよい。また、リモコン２９の操作ボタンに関しても、上記第１の実施例においては１つのボタンに１つの機能であったが、これに限定することはなく、２つ以上の動作を１つのボタンで兼用するようにしてもよい。
【実施例２】
【００２６】
本発明を搭載した第２の実施例の画像表示装置においては、構造および構成は実施例１と同じであるため、説明を省略する。
【００２７】
本発明を搭載した第２の実施例の画像表示装置の動作について、図面を用いて説明する。図１０は、本発明を搭載した第２の実施例の画像表示装置の動作を示す図である。図に示すように、画像表示装置本体１０の方向は、正面方向（１０６）に対して、右方向に１０°回転（１０５）、右方向２０°回転（１０４）、左方向１０°回転（１０７）、左方向２０°回転（１０８）の５段階の設定がある。このとき、１０４の位置をポジション１、１０５の位置をポジション２、１０６の位置をポジション３、１０７の位置をポジション４、１０８の位置をポジション５とし、画像表示装置本体１０の回転範囲は左方向２０°から右方向２０°の範囲とする。また、画面表示装置本体１０のそれぞれの位置におけるポテンショメータ１９からの位置情報は、あらかじめメモリ２７に記憶させておく。
【００２８】
図１１に第２の実施例の画像表示装置の動作フローを示す。
現状の画像表示装置本体１０がポジション２（１０５）にある状態において、リモコン２９の右回転ボタン３２２を押した場合の動作を例に説明する。
【００２９】
まず（Ｓ１１１）にリモコン２９の右回転ボタン３２２を押す（Ｓ１１２）と、ポテンショメータ１９からの位置情報を読み込み、現在画像表示装置本体１０がどの位置にあるかを検出する。この場合、画像表示装置本体１０はポジション２（１０５）にあるので、Ｎ＝２となる（Ｓ１１３）。Ｓ１１４にて押されたボタンが右回転ボタン３２２であるかを確認し、この場合は右回転ボタン３２２であるため、Ｓ１１５に進み、Ｐ＝１（＝Ｎ−１）となる。Ｓ１１６にてＮ≠１であるかを確認する。ここではＮ＝２であるため、Ｓ１１７に進み、画像表示装置本体１０をポジションＰ（＝１）になるように回転させ、処理を終了する（Ｓ１２１）。すなわち、ポジション２（１０５）の状態で右回転ボタン３２２を押すと、画像表示装置本体１０は右方向に１０°回転し、ポジション１（１０４）となる。この状態（Ｓ１１１）から更に右回転ボタン３２２を押すと（Ｓ１１２）、上記処理と同様に、Ｓ１３３にてＮ＝１、Ｓ１１４からＳ１１５に進みＰ＝０となる。Ｓ１１６にて、この場合はＮ＝０であるため、Ｓ１２１に進み画像表示装置本体１０は回転させずに処理を終了する。すなわち、画像表示装置本体１０の位置が回転可能範囲を越えないようにしている。
【００３０】
この状態から、リモコン２９の左回転ボタン３２１を押した場合は、Ｓ１１４までは右回転ボタン３２２を押した場合と同様に、Ｓ１１３にてＮ＝１を検出し、Ｓ１１４からＳ１１８に進み。押したボタンが左回転ボタン３２１であるので、Ｓ１１８からＳ１１９にすすみＰ＝２（＝Ｎ＋１）とし、Ｓ１２０にてＮ≠５ではないので、Ｓ１１７に進み、ポジションＰ（＝２）になるように画像表示装置本体１０を回転させて、処理を終了する（Ｓ１２１）。Ｓ１２０にてＮ≠５であるかを確認しているのは、回転可能範囲を越えないようにするためである。すなわち、左回転ボタン３２１を押すと、画像表示装置本体１０が回転可能範囲を越えない範囲で左方向に１０°回転する。
以上のように、リモコン２９のボタン３２１，３２２を押すだけという簡単な操作で、画像表示装置本体１０の画面の向きを変える事ができるため、第１の実施例と同様に使い勝手が向上する。
【００３１】
上記第２の実施例においては、１回の操作での回転角度が１０°で、回転可能範囲が左２０°から右方向２０°として説明したが、これに限定されるものではなく、記憶位置は２箇所であったが、これに限定することはない。
【実施例３】
【００３２】
実施例１、２においては、ユーザが所望する角度を記憶しておき、リモコンを使って簡単にそのポジションに画面方向を回転させる実施例について記載した。しかし、ユーザの角度設定については、例えば実施例２のように１０°刻み程度であることが予想される。
このような場合、回転後の画面の角度を微調整する必要も考えられる。
【００３３】
そこで、実施例３では、回転後の画面の角度を簡易な方法で微調整する形態について説明する。
【００３４】
図１２に第３の実施例の画像表示装置の動作フローを示す。
【００３５】
現状の画像表示装置本体１０がポジション２（１０５）にある状態において、リモコン２９の左回転ボタン３２１を長押しした場合の動作を例に説明する。ここでいうリモコンボタンの長押しとは、例えば、３秒以上ボタンを押し続けることをいう。
【００３６】
まず（Ｓ２１１）にリモコン２９の左回転ボタン３２１を押す（Ｓ１１２）と、ポテンショメータ１９からの位置情報を読み込み、現在画像表示装置本体１０がどの位置にあるかを検出する。この場合、画像表示装置本体１０はポジション２（１０５）にあるので、Ｎ＝２となる（Ｓ２１３）。Ｓ２１４にて押されたボタンが長押しされたかどうかを確認し、この場合は左回転ボタン３２１を長押ししたため、Ｓ２１５に進み、所定の間隔、例えば角度が１°間隔という角度で角度調整し、処理を終了する（S２２１）。ボタンを長押しでない場合の処理は実施例２と同じ処理であるため説明を省略する。また、右回転ボタン３２２についても同様の操作で画面角度の調整が可能である。
【００３７】
以上のように、リモコンボタンを長押しすると微調整し、短く押すと記憶ポジションへの回転するという、簡易な操作で、画像表示装置本体１０の画面の向きを所望の方向へ回転でき、使い勝手が向上する。
【００３８】
さらに、上記第３の実施例においては、同一ボタンの操作時間によって記憶した角度への移動か、角度の微調整かの切替を行っているが、これに限定されるものではなく、微調整用のボタン、記憶した角度への移動を行うボタンを備えてもよい。
【００３９】
また、本発明は画像表示装置に関するものであるが、スピーカーなどのオーディオ機器や、一般電気機器などに適用してもよい。
【図面の簡単な説明】
【００４０】
【図１】第１の実施例の画像表示装置の外観斜視図、
【図２】画像表示装置から画像表示装置本体を外した状態のスタンド部の斜視図、
【図３】スタンドの内部構造を示す図、
【図４】画像表示装置の構成図、
【図５】記憶位置１の設定方法の説明図、
【図６】画面位置の記憶設定方法のフロー図、
【図７】記憶位置２の設定方法の説明図、
【図８】画像表示装置本体の位置を記憶位置１まで回転させる動作の説明図、
【図９】画像表示装置本体の位置を記憶位置１まで回転させる動作のフロー図、
【図１０】第２の実施例の画像表示装置の動作を示す図、
【図１１】第２の実施例の画像表示装置の動作フロー図、
【図１２】第３の実施例の画像表示装置の動作フロー図。
【符号の説明】
【００４１】
１０…画像表示装置本体、１４…スタンド、１５…本体保持部、１７…モ−タ、１９…ポテンショメータ、２９…リモコン。
【図１】
2006350145.tif 000003
【図２】
2006350145.tif 000004
【図３】
2006350145.tif 000005
【図４】
2006350145.tif 000006
【図５】
2006350145.tif 000007
【図６】
2006350145.tif 000008
【図７】
2006350145.tif 000009
【図８】
2006350145.tif 000010
【図９】
2006350145.tif 000011
【図１０】
2006350145.tif 000012
【図１１】
2006350145.tif 000013
【図１２】
2006350145.tif 000014